(57)【要約】      （修正有）【課題】蓄電装置と定着用ヒータとの間に昇圧回路等の一定電圧への電圧変換を行う定電圧回路を設ける場合において、オーバースペックを回避した構成の画像形成装置を提供する。【解決手段】定着装置において、商用電源の電力を取得して、当該電力を蓄電する蓄電装置２００ｃと、前記蓄電装置２００ｃからの電力により発熱する第二のヒータ１００ｂと、前記蓄電装置２００ｃに蓄電された電力を、予め定められた一定電圧として、前記第二のヒータ１００ｂへと印加させる定電圧モジュール４００とを備え、前記定電圧モジュール４００は２個以上あり、２個以上の当該定電圧モジュール４００は、それぞれ絶縁型に構成されていて、出力端が互いに直列に接続されて、前記第二のヒータ１００ｂへと当該２個以上の定電圧モジュール４００の前記一定電圧の合計電圧を出力する。【選択図】図３
2008039975.tif 000002
【特許請求の範囲】
【請求項１】
商用電源の電力により発熱する第一のヒータと、
商用電源の電力を取得して、当該電力を蓄電する蓄電装置と、
前記蓄電装置からの電力により発熱する第二のヒータと、
前記蓄電装置に蓄電された電力を、予め定められた一定電圧として、前記第二のヒータへと印加させる定電圧モジュールとを備え、
前記定電圧モジュールは２個以上あり、
２個以上の当該定電圧モジュールは、それぞれ絶縁型に構成されていて、出力端が互いに直列に接続されて、前記第二のヒータへと当該２個以上の定電圧モジュールの前記一定電圧の合計電圧を出力する定着装置。
【請求項２】
前記２個以上の定電圧モジュールは、前記合計電圧より低い前記蓄電装置の出力電圧を、前記合計電圧へと昇圧する請求項１記載の定着装置。
【請求項３】
前記蓄電装置は、２個以上の前記定電圧モジュールの出力端と共に自己の出力端を直列に接続させて、前記合計電圧と当該蓄電装置の出力電圧とを重畳させた電圧を前記第二のヒータへと印加させる請求項１または２記載の定着装置。
【請求項４】
少なくとも一の前記定電圧モジュールは、少なくとも一の他の前記定電圧モジュールと前記一定電圧が相違する請求項１〜３のいずれかに記載の定着装置。
【請求項５】
請求項１〜４のいずれかに記載の定着装置を備える画像形成装置。
【発明の詳細な説明】
【技術分野】
【０００１】
本発明は、商用電源の電力により発熱する第一のヒータと、商用電源の電力を取得して、当該電力を蓄電する蓄電装置と、前記蓄電装置からの電力により発熱する第二のヒータとを備える定着装置、および、かかる定着装置を備える画像形成装置に関する。
【背景技術】
【０００２】
従来より、印刷装置、複写機、ファックス、複合機等の画像形成装置が用いられている。画像形成装置においては、トナー像が定着された記録紙を加熱してトナー像の定着処理を行う定着装置が設けられる。かかる定着装置では、ＡＣ入力から直接電力供給を受けるヒータとは別に、別途もう一個、ヒータが設けられ、補助電源としてキャパシタを設けてこのキャパシタに予めＡＣ入力より電力を蓄えさせておいて、蓄えさせた電力によりこのヒータをもう一方のヒータと共に駆動させて、急速に定着装置の立ち上げを行うことができるようにしている（特許文献１，２）。
【０００３】
ここで、蓄電装置と、蓄電装置の電力で駆動されるヒータとの間の回路には、ヒータへと印加される電圧を一定の電圧に制御する定電圧回路が設けられる。
【０００４】
このような定電圧回路を設ける場合の一例として、特許文献１記載の定着装置を挙げることができる。特許文献１では、定電圧回路を設けることにより、定着装置で発熱される発熱量をコントロールし易くすることができるように述べられている。
【０００５】
また、上記のように定電圧回路を設ける場合としては、定電圧回路を昇圧回路として働かせて、かかる昇圧回路たる定電圧回路での昇圧の分だけ、蓄電装置の出力電圧は低くて足りるようにして、ヒータへと印加すべき高電圧を定電圧回路によりつくり出すものとする技術も知られている。こうすれば、蓄電装置の構成を比較的、簡単なものとすることができる。
【特許文献１】特開２０００−３１５５６７号公報
【特許文献２】特開２００２−２８０１４６号公報
【発明の開示】
【発明が解決しようとする課題】
【０００６】
しかしながら、ユーザは、昇圧回路が大きな昇圧を行い、これによりヒータの立ち上げ時間が十分に短くなることを、高い昇圧幅のためある程度、昇圧回路のコストが高くなるとしても望むこともあれば、逆に、昇圧幅は小さくて立ち上げ時間は長くとも、コストが低いことを望むこともある。ここで、このような、立ち上げ時間とコストとのうちいずれを優先したいかについてのユーザの希望に応じて、一々、異なる昇圧幅の昇圧回路を用意することは、製造者の手間等の点で困難であり、どうしても、ある程度のユーザには、オーバースペック（過剰性能）な、無駄に高価な装置を提供してしまっていた。
【０００７】
本発明は、かかる点に鑑みてなされたものであり、蓄電装置とヒータとの間に昇圧回路等の一定電圧への電圧変換を行う定電圧回路を設ける場合において、オーバースペックを回避した的確な構成の装置を提供できるようにすることを目的とする。
【課題を解決するための手段】
【０００８】
請求項１記載の発明は、
商用電源の電力により発熱する第一のヒータと、
商用電源の電力を取得して、当該電力を蓄電する蓄電装置と、
前記蓄電装置からの電力により発熱する第二のヒータと、
前記蓄電装置に蓄電された電力を、予め定められた一定電圧として、前記第二のヒータへと印加させる定電圧モジュールとを備え、
前記定電圧モジュールは２個以上あり、
２個以上の当該定電圧モジュールは、それぞれ絶縁型に構成されていて、出力端が互いに直列に接続されて、前記第二のヒータへと当該２個以上の定電圧モジュールの前記一定電圧の合計電圧を出力する定着装置である。
【０００９】
この構成であれば、商用電源の電力により第一のヒータが発熱される一方、商用電源の電力が蓄電装置に取得されて、蓄電装置に電力を蓄電され、この蓄電装置からの電力により第二のヒータが発熱される。そして、前記蓄電装置に蓄電された電力は、定電圧モジュールにより、予め定められた一定電圧とされてから、前記第二のヒータへと印加される。ここで、この定電圧モジュールは２個以上あり、２個以上の当該定電圧モジュールは、それぞれ絶縁型に構成されていて、出力端が互いに直列に接続されることにより、前記第二のヒータへと当該２個以上の定電圧モジュールの前記一定電圧の合計電圧が出力され、これにより、第二のヒータへと一定電圧（前記合計電圧）が印加される。
【００１０】
したがって、定電圧モジュールの個数が変えられるだけで、同じ装置でも、前記合計電圧が変化して、前記第二のヒータへと印加される電圧が変わり、高スペックを望むユーザには、多くのモジュールが装置に搭載されて、コスト高だが高電圧をヒータに印加できる装置が提供され、また、敢えて高スペックを望まないユーザには、モジュール数を減らした、性能は相対的に低いが安価なものが提供されて、ユーザの希望に沿った的確な構成が選択されて、オーバースペックが回避された的確な装置を提供することができる。
【００１１】
しかも、このような画像形成装置であれば、１個の定電圧回路だけで昇圧等を行う場合と比べて、２個以上のモジュールにより分散して電力が伝えられて、各定電圧モジュールにより伝えられる個々の電力は小さくなり、この結果各モジュールのコストは上記１個の定電圧回路と比べて格段に低くなり、装置全体としてもコストが低下する。
【００１２】
そして、このため、コストが同じの場合には、上記の構成をとることで、ヒータへと比較的大電力を供給できるようになり、これにより、立ち上げ時間を短くさせてユーザの利便性を向上させることができるのは勿論、ひいてはエネルギー効率が改善され、ランニングコストも向上する。また、蓄電装置に比較的、少ししか電力を蓄えておかなくて足りるようになり、蓄電装置の構成を簡単にすることができる。
【００１３】
請求項２記載の発明は、
前記２個以上の定電圧モジュールは、前記合計電圧より低い前記蓄電装置の出力電圧を、前記合計電圧へと昇圧する請求項１記載の定着装置である。
【００１４】
この構成であれば、前記合計電圧より低い前記蓄電装置の出力電圧が、前記合計電圧へと前記２個以上の定電圧モジュールによって昇圧されて、第二のヒータへと印加すべき高電圧を生成することができる。
【００１５】
請求項３記載の発明は、
前記蓄電装置は、２個以上の前記定電圧モジュールの出力端と共に自己の出力端を直列に接続させて、前記合計電圧と当該蓄電装置の出力電圧とを重畳させた電圧を前記第二のヒータへと印加させる請求項１または２記載の定着装置である。
【００１６】
この構成であれば、２個以上の前記定電圧モジュールの出力端と共に直列に蓄電装置の出力端が接続され、前記合計電圧と当該蓄電装置の出力電圧とが重畳された電圧が前記第二のヒータへと印加される。
【００１７】
したがって、第二のヒータへと高電圧を簡便に印加させることができる。たとえば、昇圧を容易に実現することができる。
【００１８】
なお、第二のヒータへと印加される電圧を変化させたい場合、この構成へと構成を変えてやることによって、印加電圧を変化させるものとしてもよい。
【００１９】
請求項４記載の発明は、
少なくとも一の前記定電圧モジュールは、少なくとも一の他の前記定電圧モジュールと前記一定電圧が相違する請求項１〜３のいずれかに記載の定着装置である。
【００２０】
この構成であれば、「少なくとも一の前記定電圧モジュール」を定着装置から取り外す等した場合と、「少なくとも一の他の前記定電圧モジュール」を定着装置から取り外す等した場合とで、異なった電圧への印加電圧の変更を行うことができるようになり、多様に第二のヒータへの印加電圧を変更することができる。
【００２１】
具体的には、たとえば、前記２個以上の前記定電圧モジュールは、前記一定電圧が、ある１つの定電圧モジュールの電圧に対して、他の定電圧モジュールの電圧が２倍、４倍、…となっているものとしてもよい。たとえば、第１〜第ｎの定電圧モジュールがある場合において、第１の定電圧モジュールは前記一定電圧がｑ（Ｖ）であり、第２の定電圧モジュールはｑ２（Ｖ）であり、第ｍの定電圧モジュールはｑｍ（Ｖ）であるとしてもよい。
【００２２】
なお、少なくとも一の前記定電圧モジュールの前記一定電圧が、少なくとも一の他の前記定電圧モジュールの前記一定電圧と同じであるものとしてもよい。こうすれば、装置構成を簡単にして、コストを低下させることができる。なお、２個以上の前記定電圧モジュールは同じでものであるものとしてもよい。
【００２３】
なお、定電圧モジュールは、定着装置本体とは別体であることが好ましく、定着装置に取り付けて用いるものであることが好ましい。こうすれば、容易に、第二のヒータへと印加される電圧を変化させることができる。
【００２４】
請求項５記載の発明は、
請求項１〜４のいずれかに記載の定着装置を備える画像形成装置である。
【発明の効果】
【００２５】
本発明によれば、蓄電装置とヒータとの間に昇圧回路等の一定電圧への電圧変換を行う定電圧回路を設ける場合において、オーバースペックを回避した的確な構成の装置を提供できるようになる。
【発明を実施するための最良の形態】
【００２６】
以下、本発明の一実施形態に係る複写機１（画像形成装置）について図面を参照して説明する。
【００２７】
図１は、本発明の一実施形態に係る複写機１を示す図である。
【００２８】
複写機１は、複写を行う原稿の画像を読み取る画像読取部１ａと、記録紙Ｐが積載される給紙部１ｂと、給紙部１ｂから延びる記録紙Ｐの搬送経路１ｃと、搬送経路１ｃ上に設けられて、搬送される記録紙Ｐに対して上述の画像読取部１ａに読み取られた画像を形成する画像形成部１ｄと、画像形成部１ｄよりも搬送経路１ｃにおける下流側に設けられて、記録紙Ｐに対して形成された画像を定着させる定着装置１００とを備える。
【００２９】
図２は、定着装置１００、および定着装置１００を駆動する駆動回路を示す図である。定着装置１００は、第一の加熱装置１００ａ（第一のヒータ）と第二の加熱装置１００ｂ（第二のヒータ）とを備える。そして、これら第一の加熱装置１００ａと第二の加熱装置１００ｂとを駆動する駆動するために、それぞれ、複写機１には、ＡＣヒータ駆動回路１００ｄと、補助電源ユニット２００および整流器２００ｒとが設けられている。
【００３０】
定着装置１００に加えて、第二の加熱装置１００ｂを駆動する補助電源ユニット２００を少なくとも加えたものが、特許請求の範囲記載の「定着装置」の一例に相当する。ただし、補助電源ユニット２００に加えて整流器２００ｒやＡＣヒータ駆動回路１００ｄを加えたものが一例に相当すると考えることもできる。
【００３１】
第一の加熱装置１００ａは、定着装置１００のメインのヒータ装置であり、ＡＣ入力３００（商用電源）の電力をＡＣヒータ駆動回路１００ｄを介して取得して、取得された電力によって発熱する。
【００３２】
ＡＣヒータ駆動回路１００ｄは、ＡＣ入力３００が第一の加熱装置１００ａへと供給する電力を調節する。
【００３３】
他方、第二の加熱装置１００ｂは、補助電源ユニット２００に蓄電された電力を取得して発熱するヒータ装置である。定着装置１００を起動するときには、迅速に昇温を行うことができる方が、画像形成が開始されるまでの時間を遅延させないためにも、また、昇温のために用いるエネルギー効率の点でも望ましい。このため、この第二の加熱装置１００ｂを他方の加熱装置１００ａと共に定着装置１００の起動時に同時駆動することにより、急速に定着装置１００の立ち上げが行われるようにされている。
【００３４】
なお、加熱装置１００ａ，１００ｂは、たとえばハロゲンヒータを用いて構成される。
【００３５】
整流器２００ｒは、ＡＣ入力３００と補助電源ユニット２００の間に設けられていて、ダイオードを４つ組み合わせて構成したいわゆるダイオードブリッジを備えており、このダイオードブリッジによってＡＣ入力３００の交流電力を整流して、補助電源ユニット２００へと整流後の直流電力を供給する。
【００３６】
補助電源ユニット２００は、充電回路２００ｉとキャパシタ装置２００ｃと放電回路４００と切り替えスイッチ２００ｓとを備える。
【００３７】
キャパシタ装置２００ｃは、キャパシタが設けられていて、電力を蓄電する。キャパシタは、複数個が直列に接続してこのキャパシタ装置２００ｃに設けてあり、これにより、全体として比較的、高電圧をキャパシタ装置２００ｃは出力することができる。
【００３８】
キャパシタ装置２００ｃは、特許請求の範囲記載の「蓄電装置」の一例である。
【００３９】
充電回路２００ｉは、整流器２００ｒを介してＡＣ入力３００から電力を取得して、整流器２００ｒにより整流された後の直流を取得して、この直流電力により上述したキャパシタ装置２００ｃへと充電を行う。
【００４０】
放電回路４００は、キャパシタ装置２００ｃから電力を取得して、これを第二の加熱装置１００ｂへと入力する。なお、放電回路４００の詳細については、後で、図３等を参照して更に説明を行う。
【００４１】
切り替えスイッチ２００ｓは、キャパシタ装置２００ｃを、充電回路２００ｉと放電回路４００とに切り替えて接続することにより、補助電源ユニット２００の動作を充電状態と放電状態との間で切り替える。
【００４２】
なお、かかる補助電源ユニット２００と第二の加熱装置１００ｂとの間には、発熱開始スイッチ１００ｓが設けられる。上述した切り替えスイッチ２００ｓの切り替えによりキャパシタ装置２００ｃが放電回路４００の方に接続された後、このスイッチ１００ｓがオン状態とされて、第二の加熱装置１００ｂの発熱は開始される。
【００４３】
なお、複写機１には、これら切り替えスイッチ２００ｓや発熱開始スイッチ１００ｓの状態を切り替えて、複写機１の動作制御を行う制御装置が図示はしていないが設けられている。
【００４４】
続けて、放電回路４００について詳しい説明を行う。
【００４５】
放電回路４００は、キャパシタ装置２００ｃから加熱装置１００ｂへと放電を行わせる。放電回路４００は、放電に従って電圧が低下するキャパシタ装置２００ｃの出力に基づいて、キャパシタ装置２００ｃのこの電圧低下に関わらずに一定の電圧を出力する定電圧回路（ＤＣ／ＤＣコンバータ）として働く。
【００４６】
この放電回路４００は、キャパシタ装置２００ｃの出力電圧を昇圧する電圧変換を行い、キャパシタ装置２００ｃの出力電圧の変動に拘らず、高電圧を継続して加熱装置１００ｂ側へと安定して出力する。キャパシタ装置２００ｃの出力電圧は小さいものにされ、直列に接続する段数が少ないものに抑えられており、かかるキャパシタ装置２００ｃの比較的低い出力電圧が、この放電回路４００により昇圧されることにより、加熱装置１００ｂへと適切な高電圧が印加されるようになっている。
【００４７】
図３は、放電回路４００（図２参照）の詳細な構成を示す図である。
【００４８】
放電回路４００は、３つの定電圧モジュール４００ａ，４００ｂ，４００ｃと、これら定電圧モジュール４００ａ，４００ｂ，４００ｃの出力端子を直列に接続する直列接続配線４００Ｌとを備える。
【００４９】
これらの複数の定電圧モジュール４００ａ，４００ｂ，４００ｃは、特許請求の範囲記載の「定電圧モジュール」の一例である。
【００５０】
３つの定電圧モジュール４００ａ，４００ｂ，４００ｃは同じものであり、同じ出力電圧に設定されている。これらは、トランスにより、キャパシタ装置２００ｃ側と加熱装置１００ｂ側とを絶縁させた絶縁型の定電圧回路が内部にそれぞれ構成されている。そして、キャパシタ装置２００ｃより定電圧モジュール４００ａ，４００ｂ，４００ｃの各トランスへと並列に電力が供給されると共に、これらトランスの出力側が直列接続配線４００Ｌによって直列に接続されていて、各トランスの出力が定電圧モジュール４００ａ，４００ｂ，４００ｃの出力端に生じさせる電圧を合わせた合計の高い電圧が加熱装置１００ｂへと印加されるようになっている。
【００５１】
各定電圧モジュール４００ａ，４００ｂ，４００ｃには、それぞれ、スイッチングを行うＭＯＳ  ＦＥＴが設けてあり、このＭＯＳ  ＦＥＴが高速にスイッチングを行うことで、スイッチＯＮの期間の割合に応じた電力がトランスを通過して入力側から出力側へと伝達され、これにより定電圧モジュール４００ａ，４００ｂ，４００ｃの出力電圧がスイッチＯＮの期間の割合に応じて制御される。そして、定電圧モジュール４００ａ，４００ｂ，４００ｃの出力端に設けた電圧検知部（図略）での電圧検知結果に応じて、このスイッチＯＮ期間の割合が適切に制御されることで（フィードバック制御）、定電圧モジュール４００ａ，４００ｂ，４００ｃの出力端より一定電圧が安定的に出力される。
【００５２】
たとえば、キャパシタ装置２００ｃは２．５Ｖの電気二重層コンデンサを１０個直列接続して最大で２５Ｖの電圧を出力する電源であり、一方、加熱装置１００ｂが必要とする駆動電圧は７５Ｖであり、定電圧モジュール４００ａ，４００ｂ，４００ｃはキャパシタ装置２００ｃの電圧降下に拘らず一定の２５Ｖをそれぞれ生成して、直列接続配線４００Ｌを通じて２５（Ｖ）×３（個）＝７５（Ｖ）の、加熱装置１００ｂが必要とする上述の駆動電圧を加熱装置１００ｂへと安定的に印加する。
【００５３】
ここで、３つの定電圧モジュール４００ａ，４００ｂ，４００ｃをこのように絶縁型としてあるのは、このように定電圧モジュール４００ａ，４００ｂ，４００ｃを絶縁型とすることにより、３つのモジュールの出力端を直列に接続する直列接続配線４００Ｌより適切に定電圧モジュール４００ａ，４００ｂ，４００ｃの出力電圧を合算した電圧を取り出すことができるようになるためである。
【００５４】
なお、定電圧モジュール４００ａ，４００ｂ，４００ｃには、絶縁型のものであれば様々な構成のものをとることができ、上述の構成に限られることはなく、必ずしもトランスを用いて構成する必要もない。
【００５５】
なお、放電回路４００は、キャパシタ装置２００ｃの電圧よりも高い電圧を出力することが好ましく、すなわち、定電圧モジュール４００ａ〜４００ｃの出力電圧の合計は、キャパシタ装置２００ｃの電圧よりも高くなることが好ましいが、必ずしもそのような場合に限定されることはなく、キャパシタ装置２００ｃにおいてキャパシタが十分多数段になっていて高い出力電圧をキャパシタ装置２００ｃが有し、放電回路４００はキャパシタ装置２００ｃの出力電圧の電圧を大きく変化させることなく、加熱装置１００ｂ側へと出力するものとしてもよい。
【００５６】
次に、このような放電回路４００の出力電圧を変えることについて説明する。
【００５７】
図４は、放電回路４００において、定電圧モジュールを、２つの定電圧モジュール４００ａ，４００ｂのみとした場合の構成を示す図である。
【００５８】
この場合も、２つの定電圧モジュール４００ａ，４００ｂのトランスへとキャパシタ装置２００ｃから並列に電力が供給されると共に、各トランスの出力が直列に直列接続配線４００Ｌにより接続されて、２つの定電圧モジュール４００ａ，４００ｂの出力を合わせた合計の出力電圧が、この放電回路４００の出力として、加熱装置１００ｂへと印加される。
【００５９】
このように定電圧モジュールを２つの定電圧モジュール４００ａ，４００ｂのみとした場合、３個から２個へと定電圧モジュールの個数が減ったのに応じて、放電回路４００の出力電圧、すなわち、加熱装置１００ｂに印加される電圧はおよそ２／３に低下する。
【００６０】
図５は、定電圧モジュールの個数と、定着装置１００の立ち上がり時間との関係を示す図である。
【００６１】
定電圧モジュールの個数が３個から２個へと減らされて放電回路４００の出力電圧がおよそ２／３になると、加熱装置１００ｂへの単位時間当たりの供給電力が２／３になり、立ち上がり時間が約１０秒から約２０秒程度に長くなることが図５に示されている。
【００６２】
このように複写機１を構成すれば、定電圧モジュールの個数が変えられることで、加熱装置１００ｂへと印加される電圧が変わり、短い立ち上げ時間を望むユーザには、定電圧モジュールを複写機１に多く搭載させて、コスト高だが立ち上がり時間が短い装置が提供され、また、立ち上げ時間が短いことよりもコストが安価なことの方を優先するユーザには、モジュール数を減らした、相対的に立ち上がり時間が長いがコストは低い装置が提供され、ユーザの希望に応じてコストと立ち上がり時間とのバランスが自由に選択、設定されて、オーバースペックが回避された的確な装置を提供することができるようになる。
【００６３】
しかも、このような複写機１であれば、２個以上のモジュールにより分散して電力が伝えられて、各定電圧モジュールにより伝えられる個々の電力は小さく、各モジュールのコストが格段に低くなることにより、装置全体としてもコストが低下する。
【００６４】
そして、このため、コストが同じの場合には、上記の構成をとることで、加熱装置１００ｂへと比較的大電力を与えることができるようになり、これにより、立ち上がり時間を短くさせてユーザの利便性を向上させることができるのは勿論、ひいてはエネルギー効率が改善され、ランニングコストも向上する。また、キャパシタ装置２００ｃに比較的、少ししか電力を蓄えておかなくて足りるようになり、キャパシタ装置２００ｃの構成を簡単にすることができる。
【００６５】
なお、図４の回路図に示すように、３つの定電圧モジュール４００ａ，４００ｂ，４００ｃを直列に接続する直列接続配線４００Ｌにおいて、取り外した定電圧モジュール（図４の場合、最上部の定電圧モジュール４００ａ（図３））の出力端が接続されていた２箇所を接続させる図４の短絡配線４００ｘを用いてもよい。この短絡配線４００ｘはたとえばジャンパ線により構成される。
【００６６】
定電圧モジュール４００ａ，４００ｂ，４００ｃは、複写機１の他の部分とは別体に構成してあることが好ましい。定電圧モジュール４００ａ，４００ｂ，４００ｃは、複写機１に、たとえば接着剤やネジ等によって固定されていてもよし、また、着脱自在に取り付けられているものとしてもよい。
【００６７】
なお、定電圧モジュール３個分の高電圧を出力する図３の構成と比べて、低い電圧しか出力しない図４の構成の場合、加熱装置１００ｂでの熱効率が低下することで、立ち上げに必要なエネルギー総量がやや多くなるので、このときには、キャパシタ装置２００ｃの容量を大きいものにすることが好ましい。たとえば、キャパシタ装置２００ｃに設けられたキャパシタを取り替えてもよいし、キャパシタの個数を増やして、それらの段数等を増加させるものとしてもよい。
【００６８】
以下、変形例を説明する。
【００６９】
（Ａ）図６は、変形例に係る放電回路６００を示す図である。
【００７０】
放電回路をこの放電回路６００とすることで、特許請求の範囲の請求項３に記載された「定着装置」の一例が構成される。
【００７１】
放電回路６００は、図４の放電回路４００の構成から短絡配線４００ｘが除かれて、短絡配線４００ｘが設けられていた両端に、キャパシタ装置２００ｄの電圧が印加されるようにした構成となっている。これにより、短絡配線４００ｘが設けられていた箇所より図の下側で定電圧モジュール６００ａおよび６００ｂにより直列接続配線６００Ｌ上に電圧が与えられるのに加えて、短絡配線４００ｘが設けられていた箇所でキャパシタ装置２００ｄにより更に電圧が追加で与えられるようになり、高電圧を加熱装置１００ｂへと容易に印加することができる。
【００７２】
図４の構成から図６の構成への変更が、ジャンパ線の付け替えによって行われるものとしてもよい。
【００７３】
図６の場合、上記のように加熱装置１００ｂへと高い電圧を与えられる分だけ、先の図４の構成におけるキャパシタ装置２００ｃよりもこの図６のキャパシタ装置２００ｄを、容量の小さいものとしている。このように容量を小さくしても、定電圧モジュール６００ａおよび６００ｂを介さず直接にも、キャパシタ装置２００ｄより加熱装置１００ｂへと電圧を別途に印加しているので、加熱装置１００ｂに十分な電力を供給することができる。
【００７４】
なお、キャパシタ装置２００ｄより加熱装置１００ｂへと電圧が別途、余分に印加できることから、定電圧モジュールの個数を減らすものとしてもよい。
【００７５】
（Ｂ）また、定電圧モジュールへと電力を供給する電源は、必ずしも上述のようにキャパシタを用いて構成した電源に限らず、化学反応、放射線、温度差、光などにより電極間に電位差を生じさせる種々の電池を用いてもよいし、また、商用電源等の交流電源を用いることもできる。
【００７６】
（Ｃ）定電圧モジュールとしては、図３、図４、図６などに示した構成に限らず、変動する電力を取得して、これに基づいて定電圧を出力する手段であり、かつ、入力側に対して出力側が絶縁されているものであれば、種々ものを用いるものとしてよい。
【００７７】
（Ｄ）上述の説明では、３つの定電圧モジュール４００ａ，４００ｂ，４００ｃは全て同じものであるとして説明を行ったが、かかる場合に限定されることはない。たとえば、出力電圧が互いに異なった定電圧モジュールを用いてもよく、一例を挙げると、１つの定電圧モジュール４００ａに対して、他の２つの定電圧モジュール４００ｂ，４００ｃがそれぞれ、２倍、４倍の出力電圧となっていてもよい。こうすれば、定電圧モジュール４００ａ，４００ｂ，４００ｃのうちいずれを複写機１に取り付け、いずれを取り外すかに応じて、多様に放電回路４００の出力電圧を変化させて、さまざまなユーザに対応することができるようになる。
【００７８】
（Ｅ）上述の説明では、定電圧モジュールの個数は、２個および３個の間で変化させていたが、４個以上にさせてもよいし、また、１個にさせることがあってもよい。
【図面の簡単な説明】
【００７９】
【図１】本発明の一実施形態に係る複写機を示す図である。
【図２】定着装置、および定着装置を駆動する駆動回路を示す図である。
【図３】放電回路の構成を示す図である。
【図４】放電回路において、定電圧モジュールを、２つののみとした場合を示す図である。
【図５】定電圧モジュールの個数と、加熱装置の立ち上げ時間との関係を示す図である。
【図６】変形例に係る放電回路を示す図である。
【符号の説明】
【００８０】
Ｐ  記録紙
１  複写機
１ａ  画像読取部
１ｂ  給紙部
１ｃ  搬送経路
１ｄ  画像形成部
１００  定着装置
１００ａ  第一の加熱装置
１００ｂ  第二の加熱装置
１００ｄ  ＡＣヒータ駆動回路
１００ｓ  発熱開始スイッチ
２００  補助電源ユニット
２００ｃ，２００ｄ  キャパシタ装置
２００ｉ  充電回路
２００ｒ  整流器
２００ｓ  切り替えスイッチ
３００  ＡＣ入力
４００  放電回路
４００Ｌ  直列接続配線
４００ａ〜４００ｃ  定電圧モジュール
４００ｘ  短絡配線
６００  放電回路
６００Ｌ  直列接続配線
６００ａ〜６００ｂ  定電圧モジュール
【図１】
2008039975.tif 000003
【図２】
2008039975.tif 000004
【図３】
2008039975.tif 000005
【図４】
2008039975.tif 000006
【図５】
2008039975.tif 000007
【図６】
2008039975.tif 000008